【誤訳訂正書】
【提出日】平成23年11月9日(2011.11.9)
【誤訳訂正１】
【訂正対象書類名】特許請求の範囲
【訂正対象項目名】全文
【訂正方法】変更
【訂正の内容】
【特許請求の範囲】
【請求項１】
物理セクタに配置されたコンテンツおよび制御データを保持するコピー保護光ディスクであって、
前記制御データが、前記コンテンツへのアクセスを提供する前記物理セクタのアドレスを含み、
物理セクタの少なくとも部分に延在し、真正データを含む真正領域が前記ディスク上に提供され、
破壊領域が、物理セクタの少なくとも部分に延在するように前記ディスク上に提供され、
前記破壊領域は、構造は前記真正領域と同様であるが、偽データを含み、
前記破壊領域が、前記真正領域の物理セクタ開始アドレスと同じ物理セクタ開始アドレスを有し、
前記破壊領域は前記真正領域よりも前にあり、前記真正領域をコピー装置から隠す、コピー保護光ディスク。
【請求項２】
前記物理セクタは、前記ディスクの中心領域とその周縁との間に延びる螺旋状トラックに沿って配置され、前記破壊領域および前記真正領域は前記螺旋状トラックに沿って配置され、バッファ領域が、前記破壊領域と前記真正領域との間に配置される、請求項１に記載のコピー保護光ディスク。
【請求項３】
前記破壊領域内の前記偽データは、バッファデータ、不正確データ、ダミーデータ、判読不能データ、および破壊データのうちの１つまたは複数である、請求項１に記載のコピー保護光ディスク。
【請求項４】
前記コンテンツは、リードインとリードアウトとの間に提供されるデータエリアに配置され、前記データエリアは、いくつかのレベルを有すると共に、個々のレベルに関連付けられたナビゲーションデータを有する階層データ構造を含み、前記破壊領域および前記真正領域は、前記レベルのうちの１つに配置され、そのレベルでのデータ領域構造に準拠した構造をそれぞれ有する、請求項１に記載のコピー保護光ディスク。
【請求項５】
前記物理セクタの前記アドレスを参照することにより、前記データエリア内のコンテンツにアドレッシングするためのナビゲーションデータを含み、
前記破壊領域および前記真正領域が配置される前記レベルは、そのレベルをナビゲートするナビゲーションデータを含み、前記破壊領域および前記真正領域が配置された前記レベルをナビゲーションする前記ナビゲーションデータは、前記物理セクタの相対論理アドレスを参照することにより、そのレベルにおけるコンテンツをアドレッシングするナビゲーションデータを含む、請求項４に記載のコピー保護光ディスク。
【請求項６】
前記ナビゲーションデータは、まず、前記破壊領域および前記真正領域が配置された前記レベルにアドレッシングする際、前記破壊領域および前記真正領域の外部の領域にアドレッシングするように構成され、前記ナビゲーションデータは、前記真正領域の前に前記外部領域にアドレッシングするように構成される、請求項５に記載のコピー保護光ディスク。
【請求項７】
前記破壊領域内の前記偽データは、ＤＳＶ問題を生じさせるように選択されたデータパターンを含むか、または備え、前記データパターンは、高速変化率を有するＤＳＶを生じさせるように選択された、請求項１または４に記載のコピー保護光ディスク。
【請求項８】
物理セクタに配置されたコンテンツおよび制御データを保持する光ディスクをコピー保護する方法であって、前記制御データは、前記コンテンツへのアクセスを提供する前記物理セクタのアドレスを含み、前記方法は
真正データを含み、前記物理セクタの少なくとも部分に延在する真正領域を前記ディスク上に提供すること、
物理セクタの少なくとも部分に延在する破壊領域も前記ディスク上に提供することであって、前記破壊領域は、構造は前記真正領域と同様であるが、偽データを含む、提供すること、および
前記真正領域の物理セクタ開始アドレスと一致する物理セクタ開始アドレスを有するように、前記破壊領域を構成すること
を含み、
前記破壊領域は前記真正領域よりも前にあり、前記真正領域をコピー装置から隠す、光ディスクをコピー保護する方法。
【請求項９】
前記物理セクタは、前記ディスクの中心領域からその周縁に向かって延びる螺旋状トラックに沿って配置され、前記方法は、前記破壊領域および前記真正領域を前記螺旋状トラックに沿って配置すること、および前記破壊領域と前記真正領域との間にバッファ領域を配置することを含む、請求項８に記載の光ディスクをコピー保護する方法。
【請求項１０】
前記物理セクタは、前記ディスクの中心領域とその周縁との間に延びる螺旋状トラックに沿って配置され、前記方法は、前記破壊領域および前記真正領域を前記螺旋状トラックに沿って連続して配置することを含む、請求項８に記載の光ディスクをコピー保護する方法。
【請求項１１】
前記破壊領域内の前記偽データは、バッファデータ、不正確データ、ダミーデータ、判読不能データ、および破壊データのうちの１つまたは複数である、請求項８に記載の光ディスクをコピー保護する方法。
【請求項１２】
前記コンテンツは、リードインとリードアウトとの間に提供されるデータエリアに配置され、前記データエリアは、いくつかのレベルを有すると共に、個々のレベルに関連付けられたナビゲーションデータを有する階層データ構造を含み、前記方法は、前記レベルのうちの１つで前記破壊領域および前記真正領域を見つけることをさらに含み、各領域は、そのレベルでのデータ領域の構造に従った構造を有する、請求項８に記載の光ディスクをコピー保護する方法。
【請求項１３】
前記光ディスクには、前記物理セクタの前記アドレスを参照することにより、前記データエリア内のコンテンツにアドレッシングするためのナビゲーションデータが提供され、前記方法は、前記破壊領域および前記真正領域が配置された前記レベルに、そのレベルをナビゲートするナビゲーションデータを含めることをさらに含み、前記破壊領域および前記真正領域が配置された前記レベルをナビゲートする前記ナビゲーションデータは、前記物理セクタの相対論理アドレスを参照することによってそのレベルにおけるコンテンツをアドレッシングするナビゲーションデータを含む、請求項１２に記載の光ディスクをコピー保護する方法。
【請求項１４】
前記破壊領域および前記真正領域が配置された前記レベルにおいて、前記破壊領域および前記真正領域の外部の領域を見つけること、および前記レベルに最初にアドレッシングする際に、そのレベルにおけるナビゲーションデータを、前記外部領域にアドレッシングするように構成する構成することをさらに含む、請求項１３に記載の光ディスクをコピー保護する方法。
【請求項１５】
前記真正領域の前に前記外部領域をアドレッシングするように前記ナビゲーションデータを構成すること、および前記破壊領域に続くように前記真正領域を構成し、前記真正領域に続くように前記外部領域を構成することをさらに含む、請求項１４に記載の光ディスクをコピー保護する方法。
【請求項１６】
ＤＳＶ問題を生じさせるように選択されたデータパターンを前記破壊領域内の前記偽領域に含めることをさらに含み、前記データパターンは、高速変化率を有するＤＳＶを生じさせるように選択された、請求項８に記載の光ディスクをコピー保護する方法。
【誤訳訂正２】
【訂正対象書類名】明細書
【訂正対象項目名】全文
【訂正方法】変更
【訂正の内容】
【発明の詳細な説明】
【発明の名称】光ディスクのコピー保護の改良または光ディスクのコピー保護に関連する改良
【技術分野】
【０００１】
発明の背景
本発明は、物理セクタに配置されたコンテンツおよび制御データを保持する光ディスクのコピー保護の方法に関する。本発明は、このような光ディスクのコピー保護の方法および光ディスクのコピー保護に使用される命令セットにも関する。
【背景技術】
【０００２】
光ディスクのコピー保護のための多くの技術がある。例えば、国際公開第００／７４０５３号パンフレットは、符号化された制御データを不正確かつ／または不確かにすることにより、デジタルオーディオコンパクトディスク（ＣＤ−ＤＡ）上のオーディオデータのコピー保護を提案している。ＣＤに符号化された不正確データは、ＣＤ−ＤＡプレーヤによってアクセス不可能であるか、または一般に使用されない。そのため、正当なオーディオＣＤは、コンパクトディスク音楽プレーヤで通常通り再生することができるが、不正確データは、ＣＤ上の保護されたオーディオデータをＣＤ−ＲＯＭドライブによって再生不可能にする。
【０００３】
この従来のコピー保護方法は単純に、ユーザがＣＤ−ＲＯＭドライブを正当に使用して、ＣＤ−ＤＡ上の音楽または他のオーディオを再生することを阻止するため、使用可能なコピーディスクの生成を阻止しながら、このような光ディスクを再生する機能を有するすべてのプレーヤでの正当な光ディスクの再生を阻止または妨げない代替のコピー保護方法が提案された。このようなコピー保護方法の例は、国際公開第０１／６１６９５号パンフレットおよび国際公開第０１／６１６９６号パンフレットに記載されている。
【０００４】
これらさらなる方法は、ディスク上の情報に関連する制御データを除去し、破損させ、または他の方法で不確かにする。
【０００５】
ディスクの確実な読み取りまたはコピーを不可能にするように、光ディスク上のコンテンツおよび／または制御データを故意に妨害する多くの方法があることが分かっている。しかし、コピー保護が効果的になるほど、コピー保護がコピー保護光ディスクの正当なユーザに対して不利に干渉する確率が高くなる危険性がある。
【発明の概要】
【発明が解決しようとする課題】
【０００６】
本発明の概要
本発明は、正当な使用に干渉するこの危険性が低減されたコピー保護方法を提供しようとする。
【課題を解決するための手段】
【０００７】
本発明の第１の態様によれば、物理セクタに配置されたコンテンツおよび制御データを保持するコピー保護光ディスクであって、制御データが、コンテンツへのアクセスを提供する物理セクタのアドレスを含み、物理セクタの少なくとも部分に延在し、真正データ（genuine data）を含む真正領域（genuine region）がディスク上に提供され、破壊領域（subversive region）も、物理セクタの少なくとも部分に延在するようにディスク上に提供され、破壊領域は、構造は真正領域と同様であるが、偽データを含み、破壊領域が、真正領域の物理セクタアドレスと同じ物理セクタアドレスを有する、コピー保護光ディスクが提供される。
【０００８】
ディスク上の破壊領域および／または真正領域は、単一の物理セクタの部分のみに延在し得る。しかし、一般に、これら領域のそれぞれは、１つまたは複数の物理セクタに延在する。
【０００９】
好ましくは、物理セクタは、ディスクの中心領域とその周縁との間に延びる螺旋状トラックに沿って配置され、破壊領域および真正領域は螺旋状トラックに沿って配置され、バッファ領域は、破壊領域と真正領域との間に配置される。一般に、破壊領域、バッファ領域、および真正領域は、螺旋状トラックに沿って連続して配置される。
【００１０】
間置バッファ領域の提供は、ディスクの通常使用中、例えば、ディスクの再生中、破壊領域内の偽データにアクセスしないことの保証に役立つ。
【００１１】
ディスクの中心領域からその周縁に向かって延びる螺旋状トラックを有するディスクの場合、破壊領域は、好ましくは、中心領域から周縁に延びる螺旋状トラックの方向において真正領域の前に配置される。これは、ディスク上のデータに線形にアクセスするコピー装置が真正データではなく偽データにアクセスすることの保証に役立つ。
【００１２】
破壊領域内の偽データは、バッファデータ、不正確データ、ダミーデータ、判読不能データ、および破壊データのうちの１つまたは複数であり得る。
【００１３】
この点において、偽データは、単にブランクコンテンツまたは特定のディスクに対して不正確なコンテンツであり得る。この場合、ディスクのコピーは可能であるが、コピーされたディスクはブランクコンテンツまたは不正確なコンテンツを有することになる。あるいは、破壊領域内の偽データは、ディスクのコピーがかなり遅くなるか、または阻止されるように、ディスクをコピーしようとしているコピー装置に問題を生じさせるように選択され得る。
【００１４】
好ましい実施形態では、コンテンツは、リードインとリードアウトとの間に提供されるデータエリアに配置され、データエリアは、いくつかのレベルを有すると共に、個々のレベルに関連付けられたナビゲーションデータを有する階層データ構造を含み、破壊領域および真正領域は、レベルのうちの１つに配置され、そのレベルでのデータ領域構造に準拠した構造をそれぞれ有する。
【００１５】
例えば、光ディスクには、物理セクタのアドレスを参照することにより、データエリア内のコンテンツにアドレッシングするためのナビゲーションデータが提供され、破壊領域および真正領域が配置されるレベルは、下位レベルのナビゲーションのためのナビゲーションデータも含み得る。
【００１６】
破壊領域および真正領域が配置されたレベルをナビゲーションするナビゲーションデータは、好ましくは、物理セクタの相対論理アドレスを参照することによってそのレベルのコンテンツにアドレッシングするためのナビゲーションデータを含む。これにより、破壊領域および真正領域が一致する物理セクタアドレスを有するにも関わらず、ディスクを通常通り再生することが可能になる。したがって、まず、破壊領域および真正領域の外部の領域、または一致する物理セクタアドレスを有さない真正領域の部分にアドレッシングすることにより、真正領域へのアクセスを有することができる。その後、現在位置から真正領域の冒頭までの距離を計算することにより、真正領域の冒頭へのナビゲーションを達成することができる。これは、本明細書および特許請求の範囲において相対論理アドレスによるナビゲーションと呼称される。
【００１７】
提供されるナビゲーションは、真正領域へのアクセスを可能にするのみならず、ディスクの通常再生中にユーザから偽データを見えなくする。
【００１８】
一実施形態では、上記ナビゲーションデータは、真正領域の前に外部領域をアドレッシングするように構成される。真正領域は破壊領域に続き得、外部領域は真正領域に続き得る。これは、ディスクの通常再生中に、偽データにアクセスされないことを保証することにも役立つ。
【００１９】
破壊領域および真正領域のロケーションは、要求に応じて、かつ要求されるレベルにおいて選択され得る。好ましい一実施形態では、真正領域および破壊領域は両方とも、ビデオタイトルセット（ＶＴＳ）を含み、真正ＶＴＳの物理セクタ開始アドレスと破壊ＶＴＳの開始アドレスは同じである。
【００２０】
好ましくは、真正ＶＴＳは破壊ＶＴＳに続き、真正ＶＴＳに続けてさらなるＶＴＳが提供される。
【００２１】
例えば、ＶＴＳにアドレッシングするナビゲーションデータを含むビデオマネージャ（ＶＭＧ）は、まず、上記真正ＶＴＳおよび破壊ＶＴＳに続くさらなるＶＴＳにアドレッシングするように構成され得る。ナビゲーションデータが真正ＶＴＳの冒頭をアドレッシングする場合、真正ＶＴＳの冒頭へのアクセスを容易に得ることができる。
【００２２】
追加かつ／または代替として、真正領域および破壊領域は両方とも、ビデオブジェクト（ＶＯＢ）の１つまたは複数のセルを含み、真正セルの物理セクタ開始アドレスと破壊セルの開始アドレスは同じである。
【００２３】
例えば、真正セルは破壊セルに続き得、真正セルに続いて１つまたは複数のさらなるセルが提供され得る。
【００２４】
一実施形態では、ビデオタイトルセット（ＶＴＳ）内のプログラムチェインは、破壊領域および真正領域によって共有される同じ物理セクタアドレスをアドレッシングするポインタを含む。再生中またはコピー中にアクセスされる領域は、プレーヤまたはコピー装置が前に辿っていたナビゲーション経路に依存することになる。
【００２５】
ビデオタイトルセット（ＶＴＳ）内のプログラムチェインは、まず、真正セルおよび破壊セルに続く１つまたは複数のさらなるセルをアドレッシングするように構成され得、ナビゲーションデータは、ディスク通常再生中、プログラムチェインに真正セルの冒頭をアドレッシングさせ得る。
【００２６】
上記破壊領域のそれぞれ内の物理セクタは、破壊領域のサイズが真正領域のサイズよりも小さくなるように、省かれ得る。これは、破壊領域がディスク上の大きなスペースを占めないことを保証する。さらに、破壊領域のサイズが制限された場合、ディスクの通常再生中に破壊領域を飛び越えられるようにすることの保証がより容易である。
【００２７】
一実施形態では、破壊領域内の偽データは、ＤＳＶ問題を生じさせるように選択されたデータパターンを含むか、または備える。
【００２８】
ＤＳＶ問題の例およびその使用については、例えば、先の出願である国際公開第０２／１１１３６号パンフレットに記載されている。
【００２９】
一実施形態では、データパターンは、ＤＳＶが大きな絶対値を有することを保証するように選択される。
【００３０】
追加および／または代替として、データパターンは、高速変化率（rapid rate of change）を有するＤＳＶを生じさせるように選択される。
【００３１】
破壊領域内の偽データは、追加および／または代替として、情報内容が不正確にされた情報ビットまたは情報ビットセクタを含み得るか、または備え得る。
【００３２】
本発明は、物理セクタに配置されたコンテンツおよび制御データを保持する光ディスクをコピー保護する方法であって、制御データは、コンテンツにアクセスを提供する物理セクタのアドレスを含み、方法が、
真正データを含み、物理セクタの少なくとも部分に延在する真正領域をディスク上に提供すること、
物理セクタの少なくとも部分に延在する破壊領域もディスク上に提供することであって、破壊領域は、構造は真正領域と同様であるが、偽データを含む、提供すること、および
真正領域の物理セクタアドレスと一致する物理セクタアドレスを有するように、破壊領域を構成すること
を含む、方法にも及ぶ。
【００３３】
一実施形態では、物理セクタは、ディスクの中心領域とその周縁との間に延びる螺旋状トラックに沿って配置され、この方法は、破壊領域および真正領域を螺旋状トラックに沿って配置すること、および破壊領域と真正領域との間にバッファ領域を配置することを含む。一般に、破壊領域および真正領域は、螺旋状トラックに沿って連続して配置される。
【００３４】
追加および／または代替として、この方法は、破壊領域および真正領域を螺旋状トラックに沿って配置すること、および螺旋状トラックがディスクの中心位置から周縁に向かって延びる場合、中心領域から周縁への螺旋状トラックの方向において、破壊領域を真正領域の前に配置することを含み得る。
【００３５】
好ましい実施形態では、破壊領域内の偽情報は、バッファデータ、不正確データ、ダミーデータ、判読不能データ、および破壊データのうちの１つまたは複数である。
【００３６】
好ましくは、破壊領域および真正領域のそれぞれは、１つまたは複数の物理セクタに延在する。
【００３７】
好ましい実施形態では、コンテンツは、リードインとリードアウトとの間に提供されるデータエリアに配置され、データエリアは、いくつかのレベルを有すると共に、個々のレベルに関連付けられたナビゲーションデータを有する階層データ構造を含み、本発明の一実施形態の方法は、レベルのうちの１つで破壊領域および真正領域を見つけることをさらに含み、各領域は、そのレベルでのデータ領域の構造に従った構造を有する。
【００３８】
光ディスクに、物理セクタのアドレスを参照することにより、データエリア内のコンテンツにアドレスするためのナビゲーションデータが提供される場合、方法は、破壊領域および真正領域が配置されたレベルをナビゲーションするナビゲーションデータをそのレベル内に提供することをさらに含み得る。
【００３９】
好ましくは、破壊領域および真正領域が配置されたレベルをナビゲーションするナビゲーションデータは、物理セクタの相対論理アドレスを参照することにより、そのレベルにおけるコンテンツをアドレッシングするナビゲーションデータを含む。
【００４０】
一実施形態では、本発明の方法は、破壊領域および真正領域が配置されたレベルにおいて、破壊領域および真正領域の外部の領域を見つけること、およびそのレベルに最初にアドレッシングする際に、そのレベルにおけるそのナビゲーションデータを、上記外部領域にアドレッシングするように構成する構成することをさらに含む。
【００４１】
一実施形態では、本発明の方法は、真正領域の前に外部領域をアドレッシングするようにナビゲーションデータを構成することをさらに含む。例えば、真正領域は破壊領域に続き得、外部領域は真正領域に続き得る。
【００４２】
ＤＶＤ−ビデオに特に関連する好ましい実施形態では、真正領域および破壊領域は両方とも、ビデオタイトルセット（ＶＴＳ）を含み、方法は、破壊ＶＴＳの冒頭の物理セクタアドレスを真正ＶＴＳの冒頭の物理セクタアドレスと同じ物理セクタアドレスに構成することをさらに含む。
【００４３】
好ましくは、真正ＶＴＳは破壊ＶＴＳに続き、真正ＶＴＳに続いてさらなるＶＴＳが提供され、ＶＴＳをアドレッシングするナビゲーションデータを含むビデオマネージャ（ＶＭＧ）が提供され、まず、真正ＶＴＳおよび破壊ＶＴＳに続くさらなるＶＴＳにアドレッシングし、次に、真正ＶＴＳの冒頭にアドレッシングするように構成される。
【００４４】
追加および／または代替として、真正領域および破壊領域は両方とも、１つまたは複数のビデオオブジェクト（ＶＯＢ）を含み、方法は、１つまたは複数の破壊セルの冒頭の物理セクタアドレスを１つまたは複数の真正セルの冒頭の物理セクタアドレスと同じ物理セクタアドレスに構成することをさらに含む。
【００４５】
例えば、真正セルは破壊セルに続き得、真正セルに続く１つまたは複数のさらなるセルが提供され得る。
【００４６】
一実施形態では、ビデオタイトルセット（ＶＴＳ）内のプログラムチェインは、破壊領域および真正領域に共有される同じ物理セクタアドレスにアドレッシングするポインタを含む。ビデオタイトルセット（ＶＴＳ）内のプログラムチェインは、まず、ディスクの通常再生中に真正セルの冒頭にアドレッシングするように構成され得る。これは、プレーヤが前に辿っていたナビゲーション経路に依存することになる。
【００４７】
破壊領域がコピー保護された光ディスク上で占めるスペースが大きすぎないことを保証するために、方法は、破壊領域のサイズが真正領域のサイズよりも小さくなるように、破壊領域内の物理セクタを省くことをさらに含み得る。
【００４８】
好ましくは、方法は、破壊領域内の偽データ内に、ＤＳＶ問題を生じさせるように選択されたデータパターンを含むことをさらに含む。
【００４９】
データパターンが、ＤＳＶ問題を生じさせるように選択された場合、データパターンは、ＤＳＶが大きな絶対置を有することを保証するように選択され得る。追加および／または代替として、データパターンは、高速変化率を有するＤＳＶを生成するように選択され得る。
【００５０】
追加および／または代替として、方法は、破壊領域内の偽データ内に、情報内容が不正確にされた情報ビットまたは情報ビットセクタを含むことをさらに含み得る。
【００５１】
本発明のさらなる態様によれば、光ディスクのコピー保護に使用される命令セットであって、
偽データを含むが、真正データを含む真正領域と構造が同様である破壊領域をディスク上に形成する命令と、
真正領域および破壊領域のそれぞれが、ディスク上の物理セクタの少なくとも部分に延在するように、真正領域および破壊領域を見つける命令と、
真正領域および破壊領域に同じ物理セクタアドレスを与える命令と
を含む、命令セットが提供される。
【００５２】
例えば、ロケーション命令は、真正領域および破壊領域を、それぞれが１つまたは複数の物理セクタに延在するように配置するように構成され得る。
【００５３】
物理セクタが、ディスクの中心領域と周縁との間に延びる螺旋状トラックに沿って配置された場合、命令セットは、螺旋状トラックに沿って破壊領域および真正領域を配置する命令と、破壊領域と真正領域との間にバッファ領域を配置する命令とを含み得る。一般に、破壊領域、バッファ領域、および真正領域は、螺旋状トラックに沿って連続して配置される。
【００５４】
追加および／または代替として、命令セットは、螺旋状トラックに沿って破壊領域および真正領域を配置する命令を含み得、螺旋状トラックがディスクの中心領域から周縁に向かって延びる場合、命令セットは、中心領域から周辺への螺旋状トラックの方向において、真正領域の前に破壊領域を配置する命令を含み得る。
【００５５】
破壊領域内の偽データは、バッファデータ、不正確データ、ダミーデータ、判読不能データ、および破壊データのうちの１つまたは複数であり得る。
【００５６】
コンテンツが、リードインとリードアウトとの間に提供されるデータエリアに配置され、データエリアが、いくつかのレベルを有すると共に、個々のレベルに関連付けられたナビゲーションデータを有する階層データ構造を含む実施形態では、命令セットは、破壊領域および真正領域をレベルのうちの１つに配置する命令と、上記領域のそれぞれに、そのレベルでのデータ領域構造に従った構造を与える命令とを含み得る。
【００５７】
例えば、ナビゲーションデータを、物理セクタのアドレスを参照することによってデータエリア内のコンテンツにアドレッシングするために提供すべき場合、および破壊領域および真正領域が配置されたレベルが、そのレベルをナビゲーションするためのナビゲーションデータも含む場合、命令セットは、破壊領域および真正領域が配置されたレベルをナビゲーションするナビゲーションデータをそのレベル内に提供する命令を含み得、ナビゲーションデータは、物理セクタの相対論理アドレスを参照してそのレベルにおけるコンテンツにアドレッシングする。
【００５８】
真正領域および破壊領域が両方とも、ビデオタイトルセット（ＶＴＳ）を含む場合、命令セットは、破壊ＶＴＳの冒頭の物理セクタアドレスを、真正ＶＴＳの冒頭の物理セクタアドレスと同じ物理セクタアドレスに設定する命令を含み得る。
【００５９】
好ましくは、真正ＶＴＳが破壊ＶＴＳに続く場合、および真正ＶＴＳに続くさらなるＶＴＳが提供される場合、命令セットは、ビデオマネージャ（ＶＭＧ）に、真正ＶＴＳおよび破壊ＶＴＳに続くさらなるＶＴＳをまずアドレッシングし、次に、真正アドレスの冒頭をアドレッシングするように構成されたナビゲーションデータを提供する命令をさらに含み得る。
【００６０】
好ましい実施形態では、真正領域および破壊領域が両方とも、ビデオオブジェクト（ＶＯＢ）の１つまたは複数のセルを含む場合、命令セットは、破壊セルの冒頭の物理セクタアドレスを、真正セルの冒頭の物理セクタアドレスと同じ物理セクタアドレスに設定する命令を含み得る。
【００６１】
真正セルが破壊セルに続く場合、かつ真正セルに続く１つまたは複数のさらなるセルが提供される場合、命令セットは、プログラムチェイン内に、破壊セルおよび真正セルによって供給される同じ物理セクタアドレスをアドレッシングするビデオタイトルセット（ＶＴＳ）ポインタを提供する命令をさらに含み得る。
【図面の簡単な説明】
【００６２】
【図１】ＤＶＤディスクへのデータの書き込みを概略的に示す。
【図２】ＤＶＤディスクに書き込まれるデータのフォーマット中に形成された物理セクタを示す。
【図３】ＤＶＤ上に形成された螺旋状トラックを概略的に示す。
【図４】ＤＶＤの表面の拡大部分を示す。
【図５】ＤＶＤ上のデータの構造を示す。
【図６】ＤＶＤ内のビデオタイトルセット（ＶＴＳ）の構造を示す。
【図７】本発明によりコピー保護されたＤＶＤのＤＶＤ−ビデオゾーンの構造を示す。
【図８】図７と同様の図であるが、再生中のＤＶＤ−ビデオゾーンのナビゲーションを示す。
【図９】セクタ単位のコピー保護中の図７のようなＤＶＤ−ビデオゾーンのナビゲーションを示す。
【図１０】図７のようなＤＶＤ−ビデオゾーン内のデータの物理セクタアドレスを示すグラフである。
【図１１】本発明によりコピー保護されたＤＶＤのＶＴＳ１のＶＴＳＴＴ＿ＶＯＢＳの構造を示す。
【図１２】図１１のＶＴＳ１の構造を示す。
【図１３】ディスクの再生中の図１１のＶＴＳＴＴ＿ＶＯＢＳのナビゲーションを示す。
【図１４】セクタ単位のコピー保護中の図１１のＶＴＳＴＴ＿ＶＯＢＳのナビゲーションを示す。
【発明を実施するための形態】
【００６３】
好ましい実施形態の説明
本発明は、光ディスク全般に適用可能であるが、本明細書ではＤＶＤフォーマットを参照して説明する。
【００６４】
ＤＶＤに適用されるユーザデータをフォーマットするプロセスは、合意された規約に従い、よく理解されている。しかし、明確にするために、データがＤＶＤ規格に従ってフォーマットされる様式についてこれより略述する。このプロセスは、全フォーマットのＤＶＤに適用可能である。
【００６５】
図１は、ＤＶＤに適用されるユーザデータをフォーマットする際に行われるステップを示す。このユーザデータは、ディスクに書き込まれ、ディスクからアクセスされる情報であり、テキスト、グラフィックス、ビデオ、オーディオ、プログラム、および他のコンテンツと、制御データとを含み得る。図１に示すように、ユーザデータは、それぞれ２０４８バイトを含むブロック１０に編成される。フォーマットの第１のステップは、各ユーザデータブロック１０を、２０６４バイトを有する対応するデータフレーム１２に組み込むことである。追加のバイトが、識別コードおよびエラー修正コードを組み込む。
【００６６】
さらに図１に示されるように、データフレーム１２は、次に、スクランブルされて、スクランブルフレーム２２を形成する。このスクランブリングとは、繰り返されるデータシーケンスを除去することである。スクランブリングは、第１のテーブルを使用して、１６個の連続したデータフレームに対してＸＯＲ演算し、第２のテーブルを使用して、次の１６個の連続したデータフレームに対してＸＯＲ演算する等々のことによって実行することができる。したがって、スクランブルフレーム２２は１６×１６個のデータフレーム１２を含む。
【００６７】
次に、１６個の連続したスクランブルフレーム２２が、それぞれ１７２バイトを含む１９２行を有するアレイに配置されるエラー修正符号化により、ＥＣＣブロック２４が形成される。１７２の各列に対して、１６バイトの「外部パリティ」が追加され、結果として生成される２０８の各行に対して、１０バイトの「内部パリティ」が追加される。これらパリティバイトは、既知であり、理解されているエラー修正技術による行および列内のデータに関連するエラー修正コードである。
【００６８】
次に、ＥＣＣブロック２４は、インタリーブ手段に入力されて、１６個の記録フレーム２６が作成される。これら記録フレーム２６は、ＥＣＣブロック２４から行をインタリーブすることによって作成される。したがって、ＥＣＣブロック２４内に含まれる３７８５６バイトは、それぞれ２３３６バイトを有する１６個の記録フレームＲ０、Ｒ１、・・・、Ｒ１５にリアレンジされる。各記録フレームＲは１８２列を有するため、それぞれ１３行からなる１６個の記録フレームがある。
【００６９】
記録フレーム２６は、次に、ＥＦＭプラス（EFM Plus）符号化を受け、それにより、ビットシーケンス、すなわち一連の０および１が生成される。その後、データは１６個の物理セクタ２８に配置される。１つの物理セクタ２８を図２に示す。見て分かるように、各記録フレームからのＥＦＭプラス符号化データは、真ん中で分けられ、４バイトのｓｙｎｃコードＳ０およびＳ１が、各半行の前に挿入される。その後、結果として生成されたビットシーケンス３０は、ディスク３２に適用される。
【００７０】
ＥＦＭプラス符号化は、８−１６変調を使用してデータを処理する。すなわち、各８ビットバイトは１６ビットバイトに変換される。これは、４つ１組のテーブルから各１６ビットコードを選択することによって行われる。符号化は、低レベルのＤＳＶ（デジタル合算値）を維持するように構成される。
【００７１】
ビットストリーム３０は、適切なマスタリング手段によってディスク３２に書き込まれて、ピットおよびランドが形成される。この点において、ＤＶＤライタ内で、マスタリング手段は一般に、レーザビームレコーダである。レーザビームレコーダは、マスタリング筐体内でも使用されるが、代替のマスタリング技術があってもよく、それを利用してもよい。
【００７２】
ピットおよびランドは、図３に示すように、ディスク３２の表面上に形成された螺旋状トラック２７に沿って延びる。この螺旋状トラック２７は、ディスク３２の中心領域から周縁に向かって延び、リードイン４０、データエリア４２、およびリードアウト４４に分けられる。図３に示すように、データエリア４２は、一般に、螺旋状トラックに沿ってシーケンシャルに配置され、線形的に増大するセクタアドレスを有する物理セクタ２８に分けられる。
【００７３】
この時点で、２つ以上の層および／または２つ以上の螺旋状トラックを有する光ディスクを利用可能なことが理解されるであろう。例えば、両面ディスクおよび二重層ディスクが利用可能であり、追加の螺旋状トラックをディスク上の、図示される既存の螺旋状トラック２７の回転の間に画定されたギャップ内に組み込むことも提案されている。本発明はすべてのこのようなディスクに適用可能であるが、簡単にするために、本明細書では、単一のみの螺旋状トラックを有する単層ディスクを参照して説明する。
【００７４】
図４は、ＤＶＤ上のピット６を示すＤＶＤの拡大部分を示す。図４は、これらピットは螺旋状トラック２７に沿って延び、ランドによって隔てられることを示す。
【００７５】
ＤＶＤ上のデータの構造は、規格の対象であり、当業者には周知である。したがって、本発明に関連するＤＶＤ−ビデオのデータ構造の部分のみを本明細書において説明し図示する。
【００７６】
図５は、リードイン４０、データエリア４２、およびリードアウト４４を有するような構造のＤＶＤ上のデータを示す。データエリアは、物理セクタ番号０×３  ００  ００に対応する論理セクタ番号（ＬＳＮ）０×００において開始される。図５は、ＤＶＤ上のデータの階層構造も示し、構造が、個々の各層に関連付けられたナビゲーションデータを有するいくつかの層を有することを示す。データエリア４２は、階層構造の最高レベルである。図５に示すように、データエリア４２は、データエリア４２内のデータの構造および内容を識別するボリューム記述子４６を含む。このボリューム記述子４６の後にＤＶＤビデオゾーン４３が続き、場合によっては、他のＤＶＤゾーン４５が続く。
【００７７】
次のレベルにおいて、ＤＶＤ−ビデオゾーン４３は、ビデオマネージャ（ＶＭＧ）およびいくつかのビデオタイトルセット（ＶＴＳ）等の構造を備える。情報ファイル（ＩＦＯ）４８は、ビデオマネージャ（ＶＭＧ）内および各ビデオタイトルセット（ＶＴＳ）内に提供され、ビデオオブジェクト（ＶＯＢ）５０へのナビゲーションが保存されるシンタックスを提供する。周知のように、ビデオオブジェクト５０は、ビデオ、オーディオ、および他のコンテンツストリーム等のＭＰＥＧストリームを含む。その他のコンテンツストリームは、例えば、テキストおよびグラフィックスを含み得る。ビデオオブジェクト５０は、ビデオオブジェクト内のデータを検索できるようにする制御データと共に、コンテンツの提示を制御する制御データも含む。ビデオオブジェクト５０は、ビデオタイトルセットＶＴＳ１内のタイトル（ＶＴＳＴＴ＿ＶＯＢＳ）のビデオオブジェクトセットを構成する。ＶＴＳＴＴ＿ＶＯＢＳは、１ＧＢを超えないサイズのビデオオブジェクトファイル５１に分けられる。
【００７８】
図６は、ビデオタイトルセット（ＶＴＳ）の構造を示すと共に、ＤＶＤにおいて、例えば、単一のビデオオブジェクト５０に記憶された映画にどのようにアクセスし、ナビゲートし、それにより再生することができるかを示す。
【００７９】
図６には、ＤＶＤ−ビデオ構造内のデータ間の接続およびプリンタのすべては示されていない。そうではなく、図６は、単一のビデオオブジェクト５０がどのようにアクセスされるかを示す。
【００８０】
図６に示す構造には、タイトル５４の集まりを含むビデオタイトルセット（ＶＴＳ）５２がある。各タイトル５４は、１つまたは複数のプログラムチェイン５６を含む。図６では、タイトル「ＴＩＴＬＥ  ｙｙ」が、選択されたビデオオブジェクト５０をアドレッシングし、プログラムチェインｘを経由してそれを行う。各プログラムチェイン５６は、通常、一続きに再生されるように構成されるいくつかの個々のプログラムを５８として含む。各プログラム５８は、１つまたは複数のポインタを６０として有し、各ポインタ６０は、対応するビデオオブジェクトの特定の部分をアドレッシングする。
【００８１】
図６に示すように、各ビデオオブジェクト５０はいくつかの個々のセル７０に分けられる。通常、各プログラム５８は、ポインタ６０により、ビデオオブジェクト５０のセル７０のうちの個々の１つを指す。しかし、プログラム１として単一のプログラム５８について図６に示すように、セル１／１および１／２として２つのセル７０をアドレッシングするより多くのポインタ６０、例えば、２つのポインタを有することが可能である。構成は一般に、プログラム５８が関連するプログラムチェイン５６によって一続きに再生される際、ビデオオブジェクト５０内のセル７０が順に同様にアクセスされるものである。
【００８２】
図７は、本発明の方法によりコピー保護されたＤＶＤ−ビデオゾーン４３の構造を示す。図７が、図５においてＣと記されたデータ構造のレベルを示すことが理解されるであろう。
【００８３】
簡単にするために、物理セクタ番号ではなく論理セクタ番号（ＬＳＮ）が図に示される。ＤＶＤディスク上の各セクタをラベリングする物理セクタアドレスが、実際の物理セクタ番号であることが理解されるであろう。
【００８４】
[0097]  本発明のコピー保護技術の実施形態は、集合的に偽データと呼称される不正確データ、ダミーデータ、判読不能データ、または破壊データをデータエリアの階層構造内の特定のレベルに追加することを含む。同じまたは繰り返される物理セクタアドレスが、同じレベルにおける真正データおよび偽データの両方に提供される。ディスクを読み取る際に、真正データよりも先に偽データに直面した場合、真正データは偽データによって効果的に隠される。これは、例えば、多くのコピー動作で一般的なように、ディスク上のコンテンツが、昇順でアクセスされる物理セクタアドレスによってナビゲートされる場合に生じる。
【００８５】
[0098]  したがって、図７に示されるようなＤＶＤ−ビデオゾーン４３の構造において、破壊領域８０が、ゾーン４３内で第１のビデオタイトルセットＶＴＳ１の前に組み込まれていることが見られる。この破壊領域８０は、真正ＶＴＳ５２と実質的に同じ構造を有する。図７から、バッファ領域８２が、破壊領域８０と真正領域５２（ＶＴＳ１）との間に配置されていることも明らかである。この点において、破壊領域８０は、真正領域５２をコピーし、次に、コピーされた真正領域５２を、後述する構造およびコンテンツを提供するように変更することによって形成され得る。
【００８６】
[0099]  さらに、図７からも明らかなように、破壊領域８０および第１の真正領域５２（ＶＴＳ１）の少なくとも部分には、同じまたは一致する物理セクタ番号が与えられる。すなわち、破壊領域８０の冒頭およびＶＴＳ１の冒頭の両方のセクタ番号は、同一である。図７では、開始セクタアドレスはそれぞれＣとして示される。破壊領域８０および真正領域５２の終了セクタアドレスも同様に、図１０に示されるように同一であり得る。しかし、図７および図１０の両方に示されるように、破壊領域８０は、例えば、ディスク上のスペースを節減するために、真正領域５２よりも小さなサイズを有するようになされ得る。この場合、図１０に示すように、セクタおよびその番号は、破壊領域８０から省かれてもよい。
【００８７】
図８は、プレーヤによって図７のＤＶＤ−ビデオゾーン４３のナビゲーションを示す。上のように、プレーヤは、ボリュームディレクトリ４６にまずナビゲートし、次にＶＭＧにナビゲートする。しかし、ＶＭＧ内に、セクタ番号Ｅにおいて開始される第２のＶＴＳであるＶＴＳ２の冒頭に最初にナビゲートする命令が含まれる。このレベルにおいて、さらなるナビゲーションは一般に、ナビゲーション論理アドレスによって行われる。ＶＭＧにアドレッシングしているプレーヤは、Ｅが、ＶＭＧ内のＡまたはその近傍の位置に相対してＥがどこにある可能性が高いかを計算する。これは、スパイクＧによって示される破壊領域を超えて第１の真正ＶＴＳ１内のエリアにナビゲーションさせる。しかし、Ｇに到着すると、論理セクタ番号Ｅに対応するセクタにアクセスすることに代えて、論理セクタ番号Ｄに対応するセクタのみがアクセスされることが理解されるであろう。但し、ＤはＥよりも小さい。したがって、ナビゲーションは、論理セクタ番号Ｅに続き、次に、ＶＴＳ２の冒頭に続く。ナビゲーション構造は、ＶＴＳ２にアクセスした後、論理セクタ番号Ｃにおいて開始されるＶＴＳ１を提示する必要があるようなものである。ここで、プレーヤは再び、論理アドレスを使用することによってナビゲートされ、ＥからＣまでの相対距離について行う計算により、おおよそ真正領域内の論理セクタ番号Ｃに到着する。したがって、プレーヤが破壊領域８０へのアクセスを回避し、第１の真正ＶＴＳであるＶＴＳ１に確実にアクセスすることが見て取れる。図８から、バッファ領域８２が、プレーヤが破壊領域８０内の偽データによって悪影響を受けないことを保証するに当たって役立つことも明らかである。
【００８８】
[0101]  図９は、コピー保護されたＤＶＤ−ビデオゾーン４３のセクタ単位でのナビゲーションを示す。この点において、コピー動作を実行しているコピー装置は通常、物理セクタアドレスの使用によって各セクタに順にアクセスする。図９に示すように、コピー装置は、物理セクタアドレスを使用してボリュームディレクトリ４６にナビゲートし、ボリュームディレクトリ４６は、次に、セクタ番号Ａにおいて、アドレッシングされるＤＶＤ−ビデオゾーンのＶＭＧの冒頭を示す。ＶＭＧ内のナビゲーション情報は、すべてのＶＴＳの開始セクタ番号を含み、第１のＶＴＳの冒頭としてセクタ番号Ｃを識別する。ＶＴＳ１にアクセスしようとしているコピー装置は、ＶＴＳ１の開始セクタ番号であるセクタ番号ＣをＶＭＧから読み取り、次に、セクタ番号Ｃへのアクセスに続く。破壊領域８０が第１の真正ＶＴＳの前にあるため、コピー装置は、図７の構造において破壊ＶＴＳ８０であるものの冒頭にアクセスすることになる。破壊ＶＴＳ８０内の偽データが破壊データである場合、破壊領域８０内のデータへのアクセスおよびコピーを回避することができる。あるいは、破壊領域８０は、コピー動作中にコピーされることになるダミーデータを含み得る。しかし、領域８０から、セクタ番号Ｃにおいて開始される第１の真正ＶＴＳまでのナビゲーションはなく、それにより、ＶＴＳ１の内容はリーダから隠されることになる。
【００８９】
[0102]  このコピー保護技術の実施形態は、ディスクの通常再生中に破壊領域８０に直面しないように、追加または変更されたナビゲーションデータをディスク上に提供する。
【００９０】
[0103]  したがって、上から、適切なナビゲーションを使用して、プレーヤが、図７に示すように変更されたディスクのコンテンツに確実にアクセスできることが理解されるであろう。しかし、多くのコピー動作でのように、昇順物理セクタアドレスにアクセスすることによってディスクにアクセスするコピー装置は、破壊領域によって隠されたＶＴＳ１の真正データにアクセスすることがない。さらに、破壊領域８０において破壊データである偽データを使用することにより、コピー動作を特に遅くさせるか、または失敗させることができ、その一方で、破壊領域内に不正確データまたはダミーデータを提供することにより、コピー動作の結果を、価値がなく、かつ／または意味のないコピー内容にさせることができる。
【００９１】
[0104]  図５は、データエリア４２内のデータが、様々なレベルを有する階層構造に配置され、上述した１つまたは複数の破壊領域を任意のレベルに挿入可能なことを示す。破壊領域は、考慮されるレベルにおいて真正領域と実質的に同じ構造を有し得、一般に、真正領域および破壊領域は、各領域の少なくとも冒頭において、一致した物理セクタアドレスを有することになる。さらに、ディスクの再生に使用されるプログラムは、真正領域がプレーヤから隠されないように、相対論理セクタアドレスによって真正領域の冒頭にナビゲートする必要がある。
【００９２】
[0105]  図１１は、ＶＴＳ１のＶＴＳＴＴ＿ＶＯＢＳ内への単一の破壊セル１／１  ９０の組み込みを示す。上のように、破壊セル１／１  ９０は、真正セル１／１の前に配置され、破壊セル９０および真正セル１／１は両方とも、開始アドレスセクタ番号Ｃを有する。破壊セルおよび真正セルは両方とも、セクタ番号Ｅで終わるが、好ましくは、セクタは破壊セル９０内で省かれる。この場合、周知なように、ＶＴＳＴＴ＿ＶＯＢＳのナビゲーションは、ＶＴＳ１（図５）のＶＴＳ情報（ＶＴＳＩ）４８から得られる情報による。上のように、ナビゲーションは、セル２／１が最初に提示され、次に、相対論理アドレスの使用により、真正セル１／１が提示されるように配置される。したがって、ナビゲーションは、まず、セル２／１の冒頭をアドレッシングし、次に、相対論理アドレスにより、すなわち、相対距離の計算により、真正セル１／１の冒頭が、プログラムチェイン内のナビゲーションデータに従ってアドレッシングされる。このナビゲーションを図１３に示す。同様に、コピー装置は一般に、物理セクタアドレスにシーケンシャルアクセスすることにより、または主提示データ（図１２のタイトル２）を含むタイトルに直接アクセスすることにより、ディスクをコピーしようとするため、コピー装置は、ＶＴＳＩ４８の冒頭にアクセスし、次に、破壊セル９０の冒頭にアクセスし、それにより、真正セル１／１はコピー動作から隠される。セクタ単位のコピー動作中のナビゲーションを図１４に示す。
【００９３】
[0106]  図１２は、ＶＴＳ１のプログラムチェインを示すと共に、図１１のＶＴＳＴＴ＿ＶＯＢＳのナビゲーション構造をより詳細に示す。ビデオタイトルセットＶＴＳ１内のタイトル１の提示中、セル２／１がアクセスされることが見られる。次に、プログラムチェインＰＧＣ１の実行中に、タイトル２にリンクし、真正セル１／１を指すポストコマンドが発生する。ディスクの通常再生中、図示されるナビゲーション構造は、真正セル１／１にアクセスする。この構成では、コピー保護されるコンテンツは、タイトル２内にある。好ましくは、タイトル１は、タイトル２よりも短い提示時間を有する。
【００９４】
図１１および図１２に示す実施形態は、セクタ単位またはファイル単位で動作するコピー装置に欠陥を生じさせることができる。この実施形態は、メインタイトルを選択し、メインタイトルのみをコピー使用とするコピー装置（ＩＦＯパーズコピー装置（IFO parsing copying device）と呼称されることがある）に欠陥を生じさせることもできる。
【００９５】
上述した実施形態の両方において、真正コンテンツへのアクセスは、第２の真正領域および後続する真正領域、すなわち、図７のＶＴＳ２および図１２のセル２／１を経由してなされる。これら領域は、著作権警告等の一般に最初に再生されるコンテンツを含み得、または単に、例えば、数秒のブラックビデオを含み得る。ＶＴＳ２またはセル２／１内のコンテンツが再生されると、プログラムは、真正ＶＴＳ１または真正セル１／１のいずれかの冒頭にプレーヤをナビゲートする。
【００９６】
上述したように、真正領域の冒頭、すなわちＶＴＳ１およびセル１／１は、対応する破壊領域の冒頭に割り当てられたセクタ番号と同一のセクタ番号を有する。同様に、各真正領域の末尾は、対応する破壊領域の末尾のセクタ番号と一致するセクタ番号を有し得る。しかし、各破壊領域は、真正領域内にセクタ番号があり、破壊領域内で繰り返されないように、セクタを省き得る。
【００９７】
破壊領域内の偽データが不正確データまたはダミーデータであってもよく、または代替もしくは追加として、判読不能データもしくは破壊データであってもよいことが分かった。破壊データを使用すべき場合、これは、光ディスク上の破壊領域のコンテンツを読み取っている、またはコピーしているコピー装置を停止もしくは妨害し、かつ／または光ディスクからのデータのコピーを停止もしくはかなり遅くし、かつ／またはディスク上への使用可能データの作成を阻止する任意のデータであり得る。これら要件を満たす破壊データの例としては、不正確なエラー修正コードを有するデータおよび故意に変更された情報が含まれる。データは、ＤＳＶ問題を生じさせるように選択された、例えば、ＤＳＶが大きな絶対値を有し、かつ／またはＤＳＶが高速変化率を有することを保証するように選択されたデータパターンであり得、またはそのようなデータパターンを含み得る。ＤＳＶデータパターンおよびＤＳＶデータパターンが生じさせる問題の説明は、例えば、国際公開第０２／１１１３６号パンフレットに与えられている。追加および／または代替として、誤ったタイミングの波形遷移を有するデータを提供することが可能である。
【００９８】
一般的に、コンテンツおよび／または制御データであり得るデータの値が、光ディスクへのデータの符号化中に変更され、それにより、破壊データが生成されることが予期される。しかし、追加および／または代替として、ディスク上のビットまたはビットセクタを機械的または物理的に破損させることにより、破壊データを光ディスク上に提供することが可能である。
【００９９】
変更され、それにより、本発明の実施形態において使用される破壊データを提供することができるデータの例は、例えば、国際公開第００／７４０５３号パンフレット、国際公開第０１／６１６９５号パンフレット、および国際公開第０１／６１６９６号パンフレットに記載されている。このような破壊データのいずれかまたはすべてを本発明の実施形態において使用し得る。
【０１００】
当然ながら、破壊データは、正当な目的で光ディスクを再生しようとしている、または他の方法で使用しようとしている装置に問題を生じさせ得る。したがって、上述した実施形態では、バッファ領域が破壊領域と真正領域との間に配置され、光ディスクの通常使用中、破壊領域にアクセスされないことが保証された。同様に、必要な場合、バッファデータが破壊領域内に組み込まれ得る。
【０１０１】
説明され図示された実施形態に対する変更および変形を、添付の特許請求の範囲によって規定される本願の範囲内で行い得ることが理解されるであろう。